【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
送信されるべき同期信号に関連付けられたタイミング情報を決定することと、前記タイミング情報が、前記同期信号に関連付けられたホップカウントと信頼性インジケータとを含み、前記信頼性インジケータが、前記ホップカウントと独立であり、信頼できるまたは信頼できないのうちの１つを示す、
前記同期信号とともに前記タイミング情報をブロードキャストすることと、ここにおいて、前記タイミング情報に含まれる前記信頼性インジケータは、信頼できるまたは信頼できないのうちの前記１つに、前記ＵＥによってセットされる、
を備える、ユーザ機器（ＵＥ）のワイヤレス通信の方法。
【請求項２】
前記ホップカウントは、前記同期信号が基地局から受信された基地局同期信号からのものであるホップの個数である、請求項１に記載の方法。
【請求項３】
前記ＵＥがオンになると前記基地局から前記基地局同期信号を受信することをさらに備え、ここにおいて、前記同期信号は、前記基地局同期信号に基づいてブロードキャストされ、前記タイミング情報を前記決定することは、前記ホップカウントに０をセットし、前記ブロードキャストされた同期信号が信頼できることを示すように前記信頼性インジケータをセットすることを備える、請求項２に記載の方法。
【請求項４】
前記ＵＥがオンになると同期信号が他のワイヤレスデバイスから受信されなかったことを決定することをさらに備え、ここにおいて、前記タイミング情報を前記決定することは、前記ホップカウントに最大ホップカウントｌmaxをセットし、前記ブロードキャストされた同期信号が信頼できないことを示すように前記信頼性インジケータをセットすることを備える、請求項１に記載の方法。
【請求項５】
前記ＵＥがオンになると、ＵＥの集合の各ＵＥから同期信号とタイミング情報とを受信することと、
ＵＥの前記集合から受信された前記タイミング情報のうちの、前記受信された同期信号が信頼できることを示す信頼性インジケータを有するタイミング情報の集合を決定することと、
タイミング情報の前記集合が空集合ではない時に、タイミング情報の前記集合内の前記ホップカウントのうちの最小ホップカウントを決定することと
をさらに備え、ここにおいて、タイミング情報の前記集合が空集合ではない時に、
前記タイミング情報を前記決定することは、前記ホップカウントに最大ホップカウントｌmaxとタイミング情報の前記集合内の前記ホップカウントのうちの前記最小ホップカウントより１つ大きい値とのうちの最小値をセットすることと、前記ブロードキャストされた同期信号が信頼できることを示すように前記信頼性インジケータをセットすることとを備え、
前記同期信号は、タイミング情報の前記集合内の前記ホップカウントのうちの前記最小ホップカウントを含む前記タイミング情報に対応する前記同期信号に基づいてブロードキャストされる
請求項１に記載の方法。
【請求項６】
タイミング情報の前記集合が空集合である時に、ＵＥの前記集合から受信された前記タイミング情報のうちの、前記受信された同期信号が信頼できないことを示す信頼性インジケータを有するタイミング情報の第２の集合を決定することと、
タイミング情報の前記第２の集合内の前記ホップカウントのうちの最小ホップカウントを決定することと
をさらに備え、ここにおいて、タイミング情報の前記第２の集合が空集合ではない時に、
前記タイミング情報を前記決定することは、最大ホップカウントｌmaxと、タイミング情報の前記第２の集合内の前記ホップカウントのうちの前記最小ホップカウントより１つ大きい値とのうちの最小値を前記ホップカウントにセットすることと、前記ブロードキャストされた同期信号が信頼できないことを示すように前記信頼性インジケータをセットすることとを備え、
前記同期信号は、タイミング情報の前記第２の集合内の前記ホップカウントのうちの前記最小ホップカウントを含む前記タイミング情報に対応する前記同期信号に基づいてブロードキャストされる
請求項５に記載の方法。
【請求項７】
前記ホップカウントは、値ｌをセットされ、１≦ｌ≦ｌmaxであり、ｌmaxは、最大ホップカウントであり、ここにおいて、前記信頼性インジケータは、以前にブロードキャストされた同期信号が信頼できることを示すようにセットされ、前記方法は、
ＵＥの集合の各ＵＥから同期信号とタイミング情報とを受信することと、
ＵＥの前記集合から受信された前記タイミング情報のうちの、前記受信された同期信号が信頼できることを示す信頼性インジケータを有するタイミング情報の集合を決定することと、
タイミング情報の前記集合が空集合ではない時に、タイミング情報の前記集合内の前記ホップカウントのうちの最小ホップカウントを決定することと
をさらに備え、ここにおいて、タイミング情報の前記集合が空集合ではなく、前記最小ホップカウントがｌ未満である時に、
前記タイミング情報を決定することは、前記ホップカウントに前記最小ホップカウントより１つ大きい値をセットすることと、前記ブロードキャストされた同期信号が信頼できることを示すように前記信頼性インジケータをセットすることとを備え、
前記同期信号は、前記最小ホップカウントを含む前記タイミング情報に対応する前記同期信号に基づいてブロードキャストされる
請求項１に記載の方法。
【請求項８】
タイミング情報の前記集合が空集合であるか、前記最小ホップカウントがしきい値Ｔ個未満の連続する同期反復の間にｌ以上である時に、前記タイミング情報を前記決定することは、前記ホップカウントをｌに維持することと、前記ブロードキャストされた同期信号が信頼できることを示すように前記信頼性インジケータをセットすることとを備える、請求項７に記載の方法。
【請求項９】
タイミング情報の前記集合が空集合であるか、前記最小ホップカウントが少なくともしきい値Ｔ個の連続する同期反復の間にｌ以上である時に、前記タイミング情報を前記決定することは、前記ホップカウントをｌに維持することと、前記ブロードキャストされた同期信号が信頼できないことを示すように前記信頼性インジケータをセットすることとを備える、請求項７に記載の方法。
【請求項１０】
前記ホップカウントは、値ｌをセットされ、１≦ｌ≦ｌmaxであり、ｌmaxは、最大ホップカウントであり、ここにおいて、前記信頼性インジケータは、以前にブロードキャストされた同期信号が信頼できないことを示すようにセットされ、前記方法は、
前記信頼性インジケータが最初に信頼できない状態にセットされた時を決定することと、
ＵＥの集合の各ＵＥから同期信号とタイミング情報とを受信することと、
ＵＥの前記集合から受信された前記タイミング情報のうちの、前記受信された同期信号が信頼できることを示す信頼性インジケータを有するタイミング情報の集合を決定することと、
タイミング情報の前記集合が空集合ではない時に、タイミング情報の前記集合内の前記ホップカウントのうちの最小ホップカウントを決定することと
をさらに備え、ここにおいて、タイミング情報の前記集合が空集合ではなく、前記最小ホップカウントがｌ以下である時に、
前記タイミング情報を前記決定することは、最大ホップカウントｌmaxと、前記最小ホップカウントより１つ大きい値とのうちの最小値を前記ホップカウントにセットすることと、前記ブロードキャストされた同期信号が信頼できることを示すように前記信頼性インジケータをセットすることとを備え、
前記同期信号は、前記最小ホップカウントを含む前記タイミング情報に対応する前記同期信号に基づいてブロードキャストされ、
ここにおいて、タイミング情報の前記集合が空集合であるか、または、前記信頼性インジケータが最初に信頼できない状態を示すようにセットされた前記決定された時以降にΔとしきい値Ｔとの積未満の連続する同期反復が経過した時に前記最小ホップカウントがｌ＋Δであり、Δが１以上の整数である時に、前記タイミング情報を前記決定することは、前記ホップカウントをｌに維持することと、前記ブロードキャストされた同期信号が信頼できないことを示すように前記信頼性インジケータをセットすることとを備える
請求項１に記載の方法。
【請求項１１】
タイミング情報の前記集合が空集合ではなく、前記信頼性インジケータが最初に信頼できない状態を示すようにセットされた前記決定された時以降にΔとしきい値Ｔとの積以上の連続する同期反復が経過した時に前記最小ホップカウントがｌ＋Δである時に、前記タイミング情報を前記決定することは、前記ホップカウントに最大ホップカウントｌmaxと前記最小ホップカウントより１つ大きい値とのうちの最小値をセットすることと、前記ブロードキャストされた同期信号が信頼できることを示すように前記信頼性インジケータをセットすることとを備える、請求項１０に記載の方法。
【請求項１２】
ワイヤレス通信のための装置であって、前記装置は、
請求項１乃至１１のいずれか一項に記載のステップを行うように配置される手段
を備える、ユーザ機器（ＵＥ）である、ワイヤレス通信のための装置。
【請求項１３】
請求項１乃至１１のいずれか一項に記載のステップを行うように配置されるコードを備えるコンピュータ可読媒体
を備える、ユーザ機器（ＵＥ）内のコンピュータプログラム製品。